(57)【特許請求の範囲】
【請求項１】
育苗容器２を移送する移送台１の上方位置に、供給ホッパー７と該供給ホッパー７の下部の土繰出部を設けた床土供給装置において、前記土繰出部は、前記供給ホッパー７の下部に形成した開口部８に外周面に母線方向と並行な条溝１５を所定間隔を置いて形成して前後一対の床土繰出ロール１３、１４を設け、該前側床土繰出ロール１３および後側床土繰出ロール１４の上方には側面視山形形状の供給量調節板１８を上下調節自在に設けた床土供給装置。
【請求項２】
請求項１において、前記前側床土繰出ロール１３の前側には供給ホッパー７の前側傾斜板１６の下端を臨ませ、前記後側床土繰出ロール１４の後側には供給ホッパー７の後側傾斜板１７の下端を臨ませ、前記供給量調節板１８は前側床土繰出ロール１３と後側床土繰出ロール１４の前後中間の上方に位置させその前後側下端２１、２３を前側床土繰出ロール１３と後側床土繰出ロール１４の夫々上方に臨ませた床土供給装置。
【請求項３】
請求項２において、前記供給量調節板１８の左右両側に夫々上下移動板２７を固定し、該各上下移動板２７に側方に突き出る横軸２８を設け、該各横軸２８に形成した螺子孔３３を、前記供給ホッパー７の側板２９に設けた長孔３０より夫々外側に突出させ、前記側板２９より外側に突出する各横軸２８の前記螺子孔３３には固定部に回転のみ自在に取付けた螺子軸３２を螺合させた床土供給装置。
【発明の詳細な説明】
【０００１】
【産業上の利用分野】
本発明は、育苗容器への土供給装置に係るものである。
【０００２】
【従来技術】
従来、育苗容器を移送する移送台の上方位置に、供給ホッパーと該供給ホッパーの下部の土繰出部を設けた床土供給装置は公知であり、公知のものの土繰出部は、ベルトにより形成していた。
【０００３】
【発明が解決しようとする課題】
前記公知例は、繰出部の構成がベルトのため、コストが高いという課題がある。即ち、ベルトはそれ自体の値段も高いが、それだけでなく、土を搬送しながら落下させるから、ある程度の長さが必要であり、全体が大型化し、コストが高くなる。
また、種子の繰出に使用する外周面に凹部を有する繰出ロールでは、繰出量が少なく、床土の供給には利用できない。
そこで、外周面に凹部を有する繰出ロールによる供給であって、繰出量を確保したものである。
【０００４】
【発明の目的】
安価な床土供給装置の提供。
【０００５】
【課題を解決するための手段】
本発明は、育苗容器２を移送する移送台１の上方位置に、供給ホッパー７と該供給ホッパー７の下部の土繰出部を設けた床土供給装置において、前記土繰出部は、前記供給ホッパー７の下部に形成した開口部８に外周面に母線方向と並行な条溝１５を所定間隔を置いて形成して前後一対の床土繰出ロール１３、１４を設け、該前側床土繰出ロール１３および後側床土繰出ロール１４の上方には側面視山形形状の供給量調節板１８を上下調節自在に設けた床土供給装置としたものである。
本発明は、前記前側床土繰出ロール１３の前側には供給ホッパー７の前側傾斜板１６の下端を臨ませ、前記後側床土繰出ロール１４の後側には供給ホッパー７の後側傾斜板１７の下端を臨ませ、前記供給量調節板１８は前側床土繰出ロール１３と後側床土繰出ロール１４の前後中間の上方に位置させその前後側下端２１、２３を前側床土繰出ロール１３と後側床土繰出ロール１４の夫々上方に臨ませた床土供給装置としたものである。
本発明は、前記供給量調節板１８の左右両側に夫々上下移動板２７を固定し、該各上下移動板２７に側方に突き出る横軸２８を設け、該各横軸２８に形成した螺子孔３３を、前記供給ホッパー７の側板２９に設けた長孔３０より夫々外側に突出させ、前記側板２９より外側に突出する各横軸２８の前記螺子孔３３には固定部に回転のみ自在に取付けた螺子軸３２を螺合させた床土供給装置としたものである。
【０００６】
【実施例】
本発明の実施例について図により説明すると、１はナス、トマト等の野菜や花あるいは稲等の種子を播種して育苗する育苗容器２を移送する移送台であり、育苗容器２の移送方向に長い左右一対のフレーム３に所定間隔をおいて支脚４を設けて床上に載置する。
前記移送台１には育苗容器２の移送手段である移送ベルト５を設け、移送台１の上方位置には床土繰出装置６を設ける。床土繰出装置６は上方に供給ホッパー７を設け、供給ホッパー７の下部の開口部８には土繰出部９を設ける。
土繰出部９は前後一対の前後側床土繰出ロール１３、１４により構成し、前側床土繰出ロール１３および後側床土繰出ロール１４は外周面に母線方向と並行な条溝１５を所定間隔を置いて複数形成して構成し、供給ホッパー７の前側傾斜板１６は前記前側床土繰出ロール１３の前側に臨ませ、供給ホッパー７の後側傾斜板１７は前記後側床土繰出ロール１４の後側に臨ませ、前側床土繰出ロール１３および後側床土繰出ロール１４の上方には側面視山形形状の供給量調節板１８を設ける。供給量調節板１８は供給ホッパー７に上下自在に取付ける。
【０００７】
供給量調節板１８は、最も高い頂点部１９を前側床土繰出ロール１３と後側床土繰出ロール１４の前後中間上方に位置させ、頂点部１９より前側に至るに従い低くなる前側ガイド板２０の前側下端２１を前側床土繰出ロール１３の上方に臨ませ、また、頂点部１９より後側に至るに従い低くなる後側ガイド板２２の後側下端２３を後側床土繰出ロール１４の上方に臨ませ、前側下端２１および後側下端２３と前側床土繰出ロール１３および後側床土繰出ロール１４との間の夫々の間隔２４を大小（広狭）に調節して繰出量を調節する。
【０００８】
即ち、土繰出部９は一対の前側床土繰出ロール１３と後側床土繰出ロール１４により構成するが、前側床土繰出ロール１３と後側床土繰出ロール１４の上方に山形形状の供給量調節板１８を設けることにより、供給量調節板１８の前側ガイド板２０と前記前側傾斜板１６により前側漏斗部２５を形成し、前側漏斗部２５の下部に前側床土繰出ロール１３を位置させ、また、供給量調節板１８の後側ガイド板２２と前記後側傾斜板１７により後側漏斗部２６を形成し、後側漏斗部２６の下部に後側床土繰出ロール１４を位置させることになる。
【０００９】
供給量調節板１８の左右両側には、夫々上下移動板２７を固定し、上下移動板２７には側方に突き出る横軸２８を固定し、横軸２８は供給ホッパー７の側板２９に設けた長孔３０より突出させる。横軸２８の上方にはステー３１を固定し、ステー３１には螺子軸３２を回転のみ自在に取付け、螺子軸３２の下部を前記横軸２８に設けた螺子孔３３に螺合させる。３４は螺子軸３２の上部に設けた調節用ダイヤル、３５は供給量調節板１８の上下を案内するガイド軸である。
前記前側床土繰出ロール１３および後側床土繰出ロール１４の回転軸３６、３７には夫々歯車３８、３９を固定し、歯車３８と歯車３９にはモータ４０の出力歯車４１との間にチエン４２を掛け回し、前側床土繰出ロール１３と後側床土繰出ロール１４が互いに反対回転して前側床土繰出ロール１３と後側床土繰出ロール１４との間より床土を繰り出すようにする。４３はテンション歯車である。
【００１０】
しかして、床土繰出装置６の前側には均平回転ブラシ４４を設ける。均平回転ブラシ４４は左右一対のアーム４５に軸装し、均平回転ブラシ４４には前記モータ４０の回転を伝達する。
４６は前記移送ベルト５の回転軸、４７、４８、４９、５０は歯車、５１、５２はチエンであり、モータ４０により移送ベルト５と床土繰出装置６と均平回転ブラシ４４を駆動させる。５３は土の漏れるのを防止するブラシである。
【００１１】
【作用】
次に作用を述べる。
育苗容器２を移送台１の移送ベルト移送ベルト５上に供給すると、移送ベルト５により移送されて床土繰出装置６の下方に至り床土の供給を受ける。
床土繰出装置６は上方に供給ホッパー７を設け、供給ホッパー７の下部の開口部８に前後一対の前側床土繰出ロール１３、後側床土繰出ロール１４を並設し、前側床土繰出ロール１３および後側床土繰出ロール１４の上方には側面視山形形状の供給量調節板１８を設けているから、供給ホッパー７内の土は前側床土繰出ロール１３および後側床土繰出ロール１４の外周面の条溝１５に嵌合し、この状態で供給量調節板１８の前後側下端２１、２３と前側床土繰出ロール１３および後側床土繰出ロール１４との間の間隔２４を通過して下方の育苗容器２に供給される。
【００１２】
この場合、床土繰出装置６は、供給ホッパー７と供給ホッパー７の下部の開口部８に設けた土繰出部９により構成するが、土繰出部９は一対の前側床土繰出ロール１３と後側床土繰出ロール１４により構成し、該前側床土繰出ロール１３と後側床土繰出ロール１４の上方に山形形状の供給量調節板１８を設けることにより、供給量調節板１８の前側ガイド板２０と前記前側傾斜板１６により前側漏斗部２５を形成し、前側漏斗部２５の下部に前側床土繰出ロール１３を位置させ、また、供給量調節板１８の後側ガイド板２２と前記後側傾斜板１７により後側漏斗部後側漏斗部２６を形成し、後側漏斗部２６の下部に後側床土繰出ロール１４を位置させることになる。
【００１３】
したがって、供給ホッパー７内の土は、前側漏斗部２５の前側ガイド板２０と前側傾斜板１６により前側床土繰出ロール１３へ、また、後側漏斗部２６の後側ガイド板２２と後側傾斜板１７により後側床土繰出ロール１４へと供給ホッパー７内でブリッジになることなく夫々円滑確実に案内され、前側床土繰出ロール１３と後側床土繰出ロール１４により下方を通過する育苗容器２に床土を供給する。
それゆえ、ベルトによらずに条溝１５を形成した前側床土繰出ロール１３と後側床土繰出ロール１４であっても、充分な繰出量を確保し、構成を簡素にして安価にする。
【００１４】
また、供給量調節板１８は、その前後側下端２１、２３と前側床土繰出ロール１３および後側床土繰出ロール１４との間の間隔２４により供給量の調節を行うが、前記したように前側ガイド板２０と前側漏斗部２５により床土の供給ホッパー７内の流下の案内部材を兼用すると共に、また、流下の案内によりブリッジ発生防止の作用も期待できる。
前記供給量調節板１８は、その左右両側に夫々上下移動板２７を固定し、上下移動板２７には側方に突き出る横軸２８を固定し、横軸２８は供給ホッパー７の側板２９に設けた長孔３０より突出させ、該突出部の螺子孔３３に供給ホッパー７に回転のみ自在に取付けた螺子軸３２を螺合させているから、螺子軸３２を回転させると、横軸２８が上下し、横軸２８の上下により上下移動板２７を介して供給量調節板１８を上下させ、これにより供給量調節板１８の前側下端２１および後側下端２３と前側床土繰出ロール１３および後側床土繰出ロール１４との間の間隔２４を大小に調節して繰出量を調節する。
【００１５】
また、実施例では、前側床土繰出ロール１３および後側床土繰出ロール１４は、前側床土繰出ロール１３と後側床土繰出ロール１４の間に土を送るように互いに反対回転させているから、供給ホッパー７内の土は、回転する前側床土繰出ロール１３と後側床土繰出ロール１４により供給量調節板１８の下方に送られ、前側床土繰出ロール１３と後側床土繰出ロール１４の間より育苗容器２に落下する。
したがって、前側床土繰出ロール１３と後側床土繰出ロール１４の間の一か所より土が落下するので、土の飛散が少なくできる。
【００１６】
【効果】
本発明は、育苗容器２を移送する移送台１の上方位置に、供給ホッパー７と該供給ホッパー７の下部の土繰出部を設けた床土供給装置において、前記土繰出部は、前記供給ホッパー７の下部に形成した開口部８に外周面に母線方向と並行な条溝１５を所定間隔を置いて形成して前後一対の床土繰出ロール１３、１４を設け、該前側床土繰出ロール１３および後側床土繰出ロール１４の上方には側面視山形形状の供給量調節板１８を上下調節自在に設けた床土供給装置としたものであるから、ベルトによらずに条溝１５を形成した前側床土繰出ロール１３と後側床土繰出ロール１４であっても、充分な繰出量を確保し、構成を簡素にして安価にする。
本発明は、前記前側床土繰出ロール１３の前側には供給ホッパー７の前側傾斜板１６の下端を臨ませ、前記後側床土繰出ロール１４の後側には供給ホッパー７の後側傾斜板１７の下端を臨ませ、前記供給量調節板１８は前側床土繰出ロール１３と後側床土繰出ロール１４の前後中間の上方に位置させその前後側下端２１、２３を前側床土繰出ロール１３と後側床土繰出ロール１４の夫々上方に臨ませた床土供給装置としたものであるから、供給ホッパー７内の土は、前側漏斗部２５および後側漏斗部２６により夫々円滑確実に案内され、前側床土繰出ロール１３と後側床土繰出ロール１４と並設しても充分な繰出量が確保され、構成を簡素にして安価にする。
本発明は、前記供給量調節板１８の左右両側に夫々上下移動板２７を固定し、該各上下移動板２７に側方に突き出る横軸２８を設け、該各横軸２８に形成した螺子孔３３を、前記供給ホッパー７の側板２９に設けた長孔３０より夫々外側に突出させ、前記側板２９より外側に突出する各横軸２８の前記螺子孔３３には固定部に回転のみ自在に取付けた螺子軸３２を螺合させた床土供給装置としたものであるから、螺子軸３２により供給量調節板１８を上下させて繰出量を調節でき、供給量調節機構の構成を簡素にして安価にする。
【図面の簡単な説明】
【図１】    全体側面図。
【図２】    繰出部の側面図。
【図３】    調節板の取付け状態斜視図。
【図４】    同一部正面図。
【図５】    同縦断側面図。
【図６】    伝動機構を示す側面図。
【符号の説明】
１…移送台、２…育苗容器、３…フレーム、４…支脚、５…移送ベルト、９…土繰出部、６…床土繰出装置、７…供給ホッパー、８…開口部、１３…前側床土繰出ロール、１４…後側床土繰出ロール、１５…条溝、１６…前側傾斜板、１７…後側傾斜板、１８…供給量調節板、２０…前側ガイド板、２１…前側下端、２２…後側ガイド板、２３…後側下端、２４…間隔、２５…前側漏斗部、２６…後側漏斗部、２７…上下移動板、２８…横軸、２９…側板、３０…長孔、３１…ステー、３２…螺子軸、３３…螺子孔、３４…調節用ダイヤル、３５…ガイド軸、３６…回転軸、３７…回転軸、３８…歯車、３９…歯車、４０…モータ、４１…出力歯車、４２…チエン、４４…均平回転ブラシ、４５…アーム、４６…回転軸、４７、４８、４９、５０…歯車、５１、５２…チエン。
【図１】
0004502232.tif 000002
【図２】
0004502232.tif 000003
【図３】
0004502232.tif 000004
【図４】
0004502232.tif 000005
【図５】
0004502232.tif 000006
【図６】
0004502232.tif 000007